(57)【要約】  毛髪をカーリングするための方法であって、当該方法は、毛髪の一部を耐熱材料から形成された細長ロッド（１０）の周囲に巻きつけるステップと、毛髪にカールを定着させるのに十分な時間にわたって毛髪を加熱するために、毛髪に加熱されたヘアスタイリングアイロン（２０）を適用するステップとを含む。ヘアスタイリングアイロンおよびロッドは、続いて毛髪から取り外される。本発明は、ロッドを備えるヘアカーリングデバイスと、本発明のヘアカーリングデバイスおよびヘアスタイリングアイロンを備える、毛髪をカールさせるためのキットと、をさらに含む。
2013502256.tif 000002
【特許請求の範囲】
【請求項１】
毛髪をカーリングするための方法であって、前記方法は、毛髪の一部を耐熱材料から形成された細長ロッドの周囲に巻きつけるステップと、毛髪にカールを定着させるのに十分な時間にわたって毛髪を加熱するよう、加熱されたヘアスタイリングアイロンを毛髪に適用するステップと、毛髪の巻きつけられた部分から前記ヘアスタイリングアイロンと前記ロッドとを取り外すステップと、を具備することを特徴とする方法。
【請求項２】
前記ヘアスタイリングアイロンは、ヘアストレーナアイロンであることを特徴とする請求項１に記載の方法。
【請求項３】
前記材料は、損傷または劣化することなく、少なくとも１７０℃の温度に耐え得るものであることを特徴とする請求項１または請求項２に記載の方法。
【請求項４】
前記材料は、損傷または劣化することなく、少なくとも２００℃の温度に耐え得るものであることを特徴とする請求項１から請求項３のいずれか一項に記載の方法。
【請求項５】
前記材料は、損傷または劣化することなく、少なくとも２３０℃の温度に耐え得るものであることを特徴とする請求項１から請求項４のいずれか一項に記載の方法。
【請求項６】
前記ロッドは、実質的に、直線的なものであるか、または、その長さに沿って直線的に縁取られたものであることを特徴とする請求項１から請求項５のいずれか一項に記載の方法。
【請求項７】
前記毛髪は、前記ヘアスタイリングアイロンの適用に先立って、固定または保持スプレーの適用などの処置を受けないことを特徴とする請求項１から請求項６のいずれか一項に記載の方法。
【請求項８】
前記毛髪は、ハンドグリップおよび／または前記ヘアスタイリングアイロンのみによって前記ロッド上の適所に保持されることを特徴とする請求項１から請求項７のいずれか一項に記載の方法。
【請求項９】
前記ロッドの周囲に巻かれた毛髪は、実質的に前記毛髪の長さ全体にわたって巻かれていることを特徴とする請求項１から請求項８のいずれか一項に記載の方法。
【請求項１０】
前記毛髪は、前記ヘアスタイリングアイロンが適用されている間に前記ロッドが手で把持され得るように、前記ロッドの長さの一部のみの周囲に巻かれていることを特徴とする請求項１から請求項９のいずれか一項に記載の方法。
【請求項１１】
前記ロッドは、毛髪の巻かれた部分に対して均一に熱を付与するために、前記ヘアスタイリングアイロンに対して回転させられることを特徴とする請求項１から請求項１０のいずれか一項に記載の方法。
【請求項１２】
前記ロッドは中実または中空のものであることを特徴とする請求項１から請求項１１のいずれか一項に記載の方法。
【請求項１３】
前記ロッドは、実質的に円形の断面を有することを特徴とする請求項１から請求項１２のいずれか一項に記載の方法。
【請求項１４】
前記ロッドの長さは少なくとも２０ｃｍであることを特徴とする請求項１から請求項１３のいずれか一項に記載の方法。
【請求項１５】
前記ロッドの長さは少なくとも２５から３５ｃｍの範囲にあることを特徴とする請求項１から請求項１４のいずれか一項に記載の方法。
【請求項１６】
前記ロッドは先細形状のものであることを特徴とする請求項１から請求項１５のいずれか一項に記載の方法。
【請求項１７】
前記ロッドは、ガラスおよび／またはカーボンファイバーが充填されたプラスチック材料から形成されることを特徴とする請求項１から請求項１６のいずれか一項に記載の方法。
【請求項１８】
前記ロッドの前記外面は、その少なくとも一部にわたって滑らかであることを特徴とする請求項１から請求項１７のいずれか一項に記載の方法。
【請求項１９】
前記ロッドの直径は、一端が約１ｃｍから３ｃｍの範囲にあり、かつ他端において０.５ｃｍから１.５ｃｍの範囲の直径まで細くなることを特徴とする請求項１から請求項１８のいずれか一項に記載の方法。
【請求項２０】
前記ロッドは、毛髪調整物質が注入されていることを特徴とする請求項１から請求項１９のいずれか一項に記載の方法。
【請求項２１】
前記ロッドは、人の毛髪に前記デバイスを係留するための少なくとも１つの毛髪係留手段が設けられていることを特徴とする請求項１から請求項２０のいずれか一項に記載の方法。
【請求項２２】
前記ヘアスタイリングアイロンは、約１０〜１５秒の期間にわたって適用されることを特徴とする請求項１から請求項２１のいずれか一項に記載の方法。
【請求項２３】
前記ヘアカーリングデバイスは、前記ヘアスタイリングアイロンの取り外し後に、数秒間にわたって、毛髪の巻かれた部分に保持されていることを特徴とする請求項１から請求項２２のいずれか一項に記載の方法。
【請求項２４】
前記ヘアスタイリングアイロンは、ヘアストレーナデバイスまたはヘアカーリングデバイスであることを特徴とする請求項１から請求項２３のいずれか一項に記載の方法。
【請求項２５】
前記ヘアスタイリングアイロンは、電気的に加熱されるヘアカーリングデバイスであることを特徴とする請求項２４に記載の方法。
【請求項２６】
前記デバイスは、前記ロッドの周囲にともにもたらされ得る一対の細長い屈曲したプレートを具備してなることを特徴とする請求項２５に記載の方法。
【請求項２７】
前記屈曲プレートは、前記プレートから遠位の端部において枢軸回転可能に互いに連結された個々のアームに取り付けられていることを特徴とする請求項２６に記載の方法。
【請求項２８】
ヘアカーリングデバイスであって、損傷または劣化することなく少なくとも２００℃の温度に耐え得、かつ前記デバイスを加熱するための手段を含まない、耐熱性材料から形成された細長ロッドを具備してなることを特徴とするヘアカーリングデバイス。
【請求項２９】
前記ロッドは、請求項４から請求項２１のいずれか一項でさらに規定されたものであることを特徴とする請求項２８に記載のヘアカーリングデバイス。
【請求項３０】
請求項２８または請求項２９に記載されたヘアカーリングデバイスおよびヘアスタイリングアイロンを具備してなる、毛髪をカールさせるためのキット。
【請求項３１】
前記ヘアスタイリングアイロンは、一対のあご部を具備してなり、少なくとも１つのあご部は、電気的に加熱可能な部材を具備してなることを特徴とする請求項３０に記載のキット。
【請求項３２】
前記ヘアスタイリングアイロンは、ヘアストレーナデバイスまたはヘアカーリングデバイスであることを特徴とする請求項３０または請求項３１に記載のキット。
【請求項３３】
前記ヘアスタイリングアイロンは、請求項２５から請求項２７のいずれか一項でさらに規定されたヘアカーリングデバイスであることを特徴とする請求項３２に記載のキット。
【発明の詳細な説明】
【技術分野】
【０００１】
本発明は、毛髪をカーリングするためのデバイス、キットおよび方法に関するものである。
【背景技術】
【０００２】
毛髪にカールを形成するためにさまざまなデバイスが知られている。これらデバイスは、ローラおよびカーリングトングまたはアイロンを含む。従来のカーリングトングは、互いにヒンジ留めされた一対のあご部を備えており、あご部の少なくとも一方は電気によって加熱される。これらあご部の間に毛髪の一部が配置され、そして毛髪をデバイスの周囲に巻きつけるようデバイスがひねられる。毛髪に付与される熱が、毛髪にカールを定着させる。一般的に一方のあご部は実質的にシリンダ形状を有しており、かつ他方のあご部は、シリンダ形状のあご部の一部に対して固定されるように屈曲している。
【０００３】
現在使用されているヘアスタイリング器具に最も共通するものとしてヘアストレーナが挙げられる。通常、ヘアストレーナは、電気的に加熱される対向した平坦奈プレートを備える一対のあご部を備える。毛髪をまっすぐすることに加えて、プレート同士の間で毛髪の一部を把持することおよび器具の周囲にさらに毛髪を巻きつけるように器具をひねることによってカールを形成するべく、そうした器具を使用することもできる。ただし、得られる結果は十分に満足のいくものではない。まぜなら、毛髪のうちの平坦なプレート間に保持された部分は、カールされた部分に比べて平坦になってしまい、かつ、カールの細かさも具合も器具の外径に制限されてしまう。
【０００４】
通常のヘアカーリングロングは、約１６０℃〜１８０℃の温度まで到達可能であり、かつヘアストレーナは２３０℃まで到達可能である。器具がすでに高温となっている場合、使用者は器具の周囲に毛髪を巻きつける必要がある。その処置は、たびたび使用者の手を火傷させることがある。さらに、毛髪を高温の器具に巻きつけるとすぐにカールの定着が開始されてしまい、そのため、何らかの部分により巻きつけ部が妥当ではない場合に、所望の結果が得られず、かつ、すべての工程を再度行う前に適切にカールを取り除くために毛髪を洗うことが必要となり得る。
【０００５】
既存の器具の他の問題点として、非常に長い髪に関して、そうした髪を何度も器具の周囲に巻きつけなければならないということが挙げられる。熱が内側からのみ加えられるため、カールの不十分な定着および満足できない結果を導くように、熱は毛髪の巻かれた部分の外側の層まで浸透しない可能性がある。
【発明の概要】
【課題を解決するための手段】
【０００６】
本発明によれば、耐熱性材料からなる細長ロッドの周囲に毛髪の一部を巻きつけるステップと、毛髪にカールを定着させるのに十分な時間にわたって毛髪を加熱するように毛髪に対して加熱されたヘアスタイリングアイロンを適用するステップと、毛髪の巻きつけ部からヘアスタイリングアイロンおよびロッドを取り外すステップとを含む、毛髪をカーリングするための方法が提供される。
【０００７】
好ましくは、ヘアスタイリングアイロンはヘアストレートアイロンである。
【０００８】
好ましくは、上記材料は、少なくとも１７０℃の、より好ましくは少なくとも２００℃の、最も好ましくは少なくとも２３０℃の温度に、損傷や劣化することなく耐えうるものである。好ましくは、ロッドは実質的に直線的なものであるか、またはその長さに沿って直線的に縁取られたものである。
【０００９】
好ましくは、毛髪は、ヘアスタイリングアイロンの適用に先立って固定／保持スプレーなどによる何らかの処置を受けない。
【００１０】
好ましくは、毛髪は、ハンドグリップおよび／またはヘアスタイリングアイロン自体のみによってロッド上の適所に保持される。
【００１１】
好ましくは、ロッドの周囲に巻かれた毛髪は、実質的に毛髪の長さ全体にわたって巻かれている。
【００１２】
好ましくは、毛髪は、毛髪の巻きつけられた部分が実質的にロッド上で重ならないように、ロッドの周囲に巻きつけられる。
【００１３】
好ましくは、ヘアスタイリングアイロンの適用中にロッドを手で把持できるように、毛髪は、ロッドの長さの一部に沿ってのみロッドの周囲に巻きつけられる。
【００１４】
好ましくは、ロッドは、毛髪の巻きつけ部分に熱を均等に付与するために、ヘアスタイリングアイロンに対して回転させられる。言い換えると、ロッドは、ヘアスタイリングアイロンの存在にかかわらず回転させられてもよい。このロッドは中実または中空のものであり、中空のロッドは、強度および剛性は保ったままで、相対的に低減された重量を有し、かつ、より少量の耐熱材料を必要とする。
【００１５】
好ましくは、ロッドは実質的に円形の断面を有する。ただしロッドは、異なるスタイルのカールを提供するために、非円形断面を有していてもよい。
【００１６】
好ましくは、ロッドの長さは、少なくとも２０ｃｍ、より好ましくは２５〜３５ｃｍである。好ましくは、ロッドは先細形状のものである。これは、さまざまなサイズのカールを形成することを可能にし、あるいは、多量の毛髪がロッドに巻きつけられる際には均一なサイズのカールを形成することを可能にする。さらに、この先細形状は、より自然なカールを形成可能とする。先細形状の角度は、ヘアストレーナの表面全体が実質的にロッドと接触できるほど十分に小さいものであることが好ましい。これは熱伝達性を最大化させ、それにより、最良のカール効果が得られる。
【００１７】
通常、ロッドの直径は、一端では約１ｃｍ〜３ｃｍの範囲の直径を有しており、他端において０.５ｃｍ〜１.５ｃｍの範囲の直径となるよう細くなっていくものである。
【００１８】
好ましくは、ロッドは、材料の強度および／または熱管理特性を変更するガラスファイバーおよびカーボンファイバーなどの、１つ以上の充填物を含みうるプラスチック材料から形成されている。
【００１９】
好ましくは、ロッドの外面は、その少なくとも一部にわたって、滑らかなものとなっている。
【００２０】
このロッドは、毛髪調整物質が注入されていてもよい。
【００２１】
本発明の一実施形態において、ロッドは、この方法の工程中に手で保持されるよう意図されていてもよいが、他の実施形態においては、このロッドには、人の毛髪にデバイスを係留するために、少なくとも１つの毛髪係留手段が設けられていてもよい。これにより、使用者の手は自由となる。
【００２２】
毛髪係留手段は、ロッドの表面に形成された１つ以上のノッチを含んでもよい。代替的には、毛髪係留手段は、ロッドの表面から延在する１つ以上のフック型突出部を備えていてもよい。
【００２３】
ヘアスタイリングアイロンは、巻きつけ部を形成する毛髪の量に十分な時間にわたって毛髪の巻きつけられた部分に適用される。これは、毛髪の細さ、コイルのサイズ等に応じて、人それぞれに、大幅に変更されてもよい。
【００２４】
好ましくは、ヘアカーリングデバイスは、ヘアスタイリングアイロンが取り外された後、数秒間にわたって、毛髪の巻きつけ部に保持されてもよい。
【００２５】
好ましくは、ヘアスタイリングアイロンは、ヘアストレーティングデバイスまたはヘアカーリングデバイスである。
【００２６】
好ましくは、ヘアスタイリングアイロンは、電気的に加熱されるヘアカーリングデバイスである。
【００２７】
好ましくは、電気的に加熱されるヘアカーリングデバイスは、ロッドの周囲にともにもたらされる、一対の細長く屈曲したプレートを備えている。
【００２８】
好ましくは、屈曲プレートは、プレートから遠位の端部にとも枢軸回動加納に連結された個々のアームに取り付けられている。
【００２９】
本発明はまた、損傷または劣化することなく少なくとも２３０℃の温度に耐え得る耐熱材料から形成された細長ロッドを備えかつデバイスを加熱するための手段を含まないヘアスタイリングデバイスを提供する。
【００３０】
本発明はまた、その長さに沿って実質的に直線的であり、好ましくは滑らかな外面を有する細長ロッドを備えるヘアスタイリングデバイスを提供する。
【００３１】
本発明は、毛髪をカールさせるための、本発明のヘアカーリングデバイスおよびヘアスタイリングアイロンを備えるキットをさらに提供する。
【００３２】
好ましくは、ヘアスタイリングアイロンは一対のあご部を有し、一方のあご部は電気加熱部材を備えている。
【００３３】
好ましくは、ヘアスタイリングアイロンは、ヘアストレーナデバイスまたはヘアカーリングデバイスである。
【００３４】
好ましくは、ヘアスタイリングアイロンは、上述されたようなヘアカーリングデバイスである。
【００３５】
好ましくは、キットは、本発明のヘアカーリングデバイスを複数備えており、各ヘアカーリングデバイスは、他のものとは異なるサイズおよび／または形状のものであり、かつ、ベースは複数の凹部を備える本体を備えており、各凹部は、ヘアカーリングデバイスのうちの特定ものを受容するサイズおよび形状のものとなっている。
【００３６】
本発明のロッドを使用することにより、本発明の方法の使用した場合にさまざまなサイズのカールを形成することが可能となる。これは、特定のサイズのカールしか形成できないカーリングアイロンを使用することとは大きく異なる。この場合、他のサイズのカールが要求された際にはさまざまなカーリングアイロンを使用しなければならない。
【００３７】
毛髪へのヘアストレーナの適用は、ヘアキューティクルを毛髪の軸に対して平坦となるように、ならして滑らかにする。それにより毛髪の光沢および状態が向上される。トングおよび／またはローラを使用するカーリングの従来の方法は、カーリング工程中にキューティクルを滑らかにすることはない。
【００３８】
耐熱性ロッドを使用することは、毛髪に付与される熱がカールを形成する一方である程度が吸収されることを意味している。これは毛髪が高温になりすぎることを防止する。毛髪は、ヘアストレーナから熱が付与された後にロッドから取り外されると、ヘアストレーナが毛髪に直接適用された（このとき毛髪は一般に極めて高温になっている）ポジションとは対照的に冷却される。
【００３９】
本発明の方法によって生成されるカールのはね具合、弾み具合、および寿命は、ロッドおよびヘアストレーナの使用が毛髪へのカール形状のより効果的な定着をもたらすため、従来の方法によって得られるカールよりも、はるかに長く継続する。
【００４０】
本発明に使用されるロッドは、毛髪がカーリング工程中に所望の温度を受けていることを実際に示すように、熱によって色が変わるものとすることができる。
【００４１】
いくつかの他のヘアカーリング方法と比較すると、本発明の方法のロッドは何らかの方法で頭部に固定されるものではない。そのため本発明の方法は、使用者に引っ張り力や不快さをもたらさず、そして刺激や炎症または抜け毛を引き起こす可能性が回避される。
【００４２】
加えて当該ロッドはなんらかの電源に接続されておらず、これにより毛髪をロッドの周囲に巻きつける工程がより容易となる。
【００４３】
非常に重要なことに、ロッドは、冷却（または室温）部品として毛髪に適用される。それにより、製品は、手や顔を火傷する危険性なく、より容易にかつより安全に使用されるようになる。
【００４４】
また、ロッドに巻かれた毛髪に対してのみヘアストレーナを適用することは、ロッドの周囲に巻かれた毛髪のみがプレートと接触するため、火傷の可能性を取り除きかつより安全なカール形成を提供する。
【００４５】
このロッドは、ロッドの構成要素の一部を形成するトルマリンクリスタルで満たすことができる。トルマリンの存在は、ヘアキューティクルを滑らかにするのに役立ち、かつ毛髪の状態を維持する。これは、トルマリンが加熱時にマイナスイオンを発生させると考えられているからである。本発明の方法において、ロッドは、使用者がこれらロッドを把持するポジションにおいては高温とならない。その部分は、主に、ある程度温かくなるだけである。
【００４６】
通常、ロッドは、ヘアアイロンが通常作動する範囲にある６０℃から２３０℃の温度で作動する。
【００４７】
本発明によって生成されたカールは、従来のカーリング方法によって生成されたカールに比べて長く継続される。これは、使用者がロッドの周囲に毛髪を巻きつける方法に応じて毛髪が正確なサイズで成形されるように、丸みのあるロッドの周囲に規定のカールを形成するべく、ロッドと併用されるヘアストレーナを使用することが要因となる。
【００４８】
好ましい実施形態において、ロッドは、少なくとも毛髪が適用される部分においては滑らかなものとなっている。特に、当該ロッドには、溝を設けることでさまざまな方向においてロッドの周囲に毛髪を巻きつけることが困難となるような溝は設けられていない。さらに、この溝は、巻きつけられた部分を取り外すことを困難にし、かつ巻きつけ部におけるカールを乱れさせることとなる。滑らかなロッドは、妨害したりカールを乱れさせたりすることなく、ロッドから毛髪を容易に外すことができるようにする。
【００４９】
添付の図面は以下のとおりである。
【図面の簡単な説明】
【００５０】
【図１】本発明に基づくヘアカーリングデバイスの第一実施形態を示す図である。
【図２】本発明に基づくヘアカーリングデバイスの第二実施形態を示す図である。
【図３ａ】本発明の方法を示す図である。
【図３ｂ】本発明の方法を示す図である。
【図３ｃ】本発明の方法を示す図である。
【図４】本発明に基づくヘアカーリングデバイスの代替実施形態を示す図である。
【図５ａ】毛髪係留デバイスを有する本発明のさらなる実施形態に基づくヘアカーリングデバイスの一部を示す図である。
【図５ｂ】毛髪係留デバイスを有する本発明のさらなる実施形態に基づくヘアカーリングデバイスの一部を示す図である。
【図５ｃ】毛髪係留デバイスを有する本発明のさらなる実施形態に基づくヘアカーリングデバイスの一部を示す図である。
【図５ｄ】毛髪係留デバイスを有する本発明のさらなる実施形態に基づくヘアカーリングデバイスの一部を示す図である。
【図５ｅ】毛髪係留デバイスを有する本発明のさらなる実施形態に基づくヘアカーリングデバイスの一部を示す図である。
【図５ｆ】毛髪係留デバイスを有する本発明のさらなる実施形態に基づくヘアカーリングデバイスの一部を示す図である。
【図５ｇ】毛髪係留デバイスを有する本発明のさらなる実施形態に基づくヘアカーリングデバイスの一部を示す図である。
【図６】本発明の実施形態に基づく毛髪をカールさせるためのキットを示す図である。
【図７】図１または図２に示されたようなヘアカーリングデバイスと併せて使用される電気カーリングデバイスを示す図である。
【発明を実施するための形態】
【００５１】
以下に、添付の図面を参照して、単なる例示の目的で、本発明について詳細に説明する。
【００５２】
図１には、ヘアカーリングロッドの一例を示す。ヘアカーリングロッドは、２５ｃｍから３５ｃｍの間の長さの、好ましくは３０ｃｍの長さの細長いロッドを備えている。ロッドは、直径が近位端部１２においては約２ｃｍとなり遠位端部１４においては約１.５ｃｍまで低減される先細形状とされることが好ましい。遠位端部１４において、ロッド１０は、潜在的に危険な鋭利な円端部を形成しないように、丸みがつけられている。近位端部１２において、ロッドは、所望される場合には、平坦な、内側にわずかにくぼんだ、あるいは外側にわずかにくぼんだ形状になされてもよい。
【００５３】
ロッド１０の外面は、ロッドの周囲に巻かれる毛髪がたるんだりロッドの表面に引っかかったりしないように、完全に滑らかなものである。
【００５４】
ロッド１０は、カーボンファイバー材料などの耐熱材料から形成される。この材料は、非常に高い耐熱性を有しており、それゆえ、加熱ヘアスタイリング器具によって生成され得る高温にさらされたときでも例えば損傷されたり劣化したりせず、例えば溶けたり焦げたりすることはなく、その剛性が失われてたわむこともなく、あるいは脆弱になって破損しやすくなることはない。この材料は、また、毛髪に調整作用を有するものとして公知の他の物質（例えばトルマリン）を注入できるものである。例えば、カーボンファイバー材料は、カーボンファイバー補強ポリマーであってもよい。好ましくは、ポリマーは、テレフタラートモノマーユニットを備えている。例えばポリマーは、テレフタラートモノマーユニットを備えるコポリマーであってもよく、または、テレフタラートモノマーからなるホモポリマーであってもよい。好ましくは、ポリマーはＰＢＴ（ポリブチレンテレフタラート）である。好ましくは、カーボンファイバーはパウダー形状で添加される。
【００５５】
使用者の手の快適性のためにロッド１０の近位端部１２にはハンドル１６が設けられてもよい。これは、ロッド１０の周囲に配置された軟質なクッション性のある材料からなる層であってもよいが、ロッド１０に取り付けられる別体のものであってもよい。
【００５６】
図２には、ヘアカーリングロッド１０の第二実施形態を示す。これは実質的に第一実施形態と同じであるが、この場合においては、長さが同様に約３０ｃｍである一方で、その直径が、近位端部において約１ｃｍから遠位端部１４における約０.５ｍまで変動している。
【００５７】
当然のことながら、さまざまな範囲の直径、例えば：
１ｃｍから０.５ｃｍまで減少する直径
１.５ｃｍから１ｃｍまで減少する直径
２ｃｍから１.５ｃｍまで減少する直径
２.５ｃｍから０.５ｃｍまで減少する直径
３ｃｍから０.５ｃｍまで減少する直径
を使用することができる。
【００５８】
ロッドの長さは要求に応じて変更することもできるが、ロッドの周囲に巻かれる手ごろな長さの毛髪を受け入れるのに十分な長さを提供すると同時に扱い難いほど大きくなりすぎないように、ロッドの長さは約３０ｃｍが好ましい。
【００５９】
使用時に、毛髪をカールさせるために、毛髪１８の一部は図３ａに示されるようにロッド１の周囲に巻かれる。長い髪は、図３ｃに示されるようにより均等なカール直径を付与するように、ロッドの長さに沿って、らせん状に巻きつけることができる。このロッドが環境温度にあるため、従来のカーリングトングまたはストレーナ（ストレートヘア用アイロン）を使用したときのように使用者に火傷をさせる可能性がなく、そして使用者は、毛髪を巻きつけることを必要とする以上は、カールに熱を加える前に、満足のいくまでカールをセットすることができる。
【００６０】
ロッドの周囲に毛髪をらせん状に巻きつけることは、より自然に見えるカールを形成することもできる。
【００６１】
さらに先細形状のロッドは、頭部に隣接する細い端部または太い端部のいずれも丸くして使用することができる。これにより、さまざまな形状のカールを形成できるようなり、かつ、頭部全体の毛髪をカーリングする際にロッドが規則的に回転させられる場合に、より全体的に自然な効果を得ることができる。
【００６２】
熱は、特に図３ｂに示されるようなヘアストレートアイロン２２である、従来のヘアスタイリング器具の毛髪が巻かれたロッド１０を加熱プレート２０同士の間に配置することによって付与される。アイロン２２は、同じ場所に保持されてもよいが、ロッドに巻きつけられた毛髪の量に応じて、ロッド１０の長さに沿って移動させられてもよい。
【００６３】
アイロン２２からの熱は、外側から毛髪へ伝達される。また熱の一部は、加熱プレート２０が付与された領域においてはロッド１０に取り込まれてもよく、そのため、それは、巻かれた毛髪の内側から毛髪を加熱する。なお、ロッド１０の耐熱特性は、かなりの範囲までロッドに沿って熱が伝達されないことを意味しており、これは、使用者が楽にかつ火傷の危険性がない状態で保持し続けることを可能とすること、および、ロッド１０が損傷したり劣化したりしないことを確実なものとする。
【００６４】
通常、カールされる毛髪は、乾燥しているかまたは湿っているべきである。アイロン２２のプレート２０は、一般に、約２３０℃までの温度に到達する。アイロン２２は、約１０〜１５秒の時間にわたって適所に保持されてもよい。
【００６５】
これは一般的にカールを定着させるのに十分なものであるが、アイロン２０は取り外し可能となり、そして、ロッド１０は、「ふわふわの（bouncier）」カール効果を付与するために毛髪が環境温度まで冷却されるまで、数秒のさらなる時間にわたって適所に保持される。
【００６６】
この方法において、毛髪１８の巻き付け部分は、外側から、かつある程度の範囲まで内側から加熱される。毛髪１８の加熱作用は、毛髪に定着させられかつアイロン２０およびロッド１０が取り外された場合にも残るカールを形成する。
【００６７】
ロッド１０が軽量であり、かつアイロン２２が取り外しできかつ下に置くことができるものであるため、毛髪１８が冷却されかつ毛髪にカールが定着されるまで毛髪１８の巻き付けを保持するためにロッド１０が適所に配置されていても、使用者に負担をかけることが低減される。
【００６８】
加えて、アイロン２２からの熱は、毛髪が滑らかにかつ艶めくように、ロッド１０に注入された毛髪調整物質を毛髪へ向けて浸出させる。
【００６９】
先細形状のロッド１０の使用により、ロッドの太い部分または細い部分の周囲に毛髪を巻きつけることによって、使用者の要求に応じてカールのサイズを変更することができる。ただし、一定の直径のロッドを使用することもできる。同様に、多数の異なる直径部を備える、段部の付けられたロッドを提供することもでき、各段部自体は、それぞれ一定の直径を有しているかあるいは先細形状を有しており、かつ段部によってさまざまな直径の隣接部は結合されている。
【００７０】
円形断面のロッドについて説明してきたが、異なるカール効果を得るために、異なる形状の断面を有するロッドを形成することができる。例えば、図４に示されるように、ロッド１０は、定規に類似した幅狭の実質的に矩形断面を有する細長い平板部材として形成されてもよい。このタイプのロッドは、より鋭角のジグザグカールを形成する。
【００７１】
他の断面形状のものを使用することもできる。例えばロッドは、さまざまな形状のカールを形成するために、その断面が三角形または楕円形のものであってもよい。
【００７２】
ロッド１０は中実体であってもよいが、重量を低減させるために、ロッドを中空のものとすることもできる。この場合、ロッドは、ロングヘアのカーリングを支援するよう伸縮自在に延長可能なものとすることができ、保管しやすくするために長さを最小に収縮できる。
【００７３】
さらに代替的には、ヘアカーリングロッド１０は１つ以上の毛髪係留デバイスに形成されてもよく、このデバイスは、把持せずに使用者の手が自由となる状態で係留デバイスが適所に留められるように、使用者がデバイスを毛髪に係留できる。図５ａ〜図５ｇには、円形断面ロッド１０に関した例示が示されているが、当然のことながら、さまざまな断面形状およびサイズのロッドに毛髪係留デバイスを設けることができる。
【００７４】
図５ａに示される第１の例において、ロッド１０には１つ以上のノッチまたは凹部２４が設けられてもよく、ノッチまたは凹部２４内には、毛髪がロッド１０の周囲に巻きつけられる際に毛髪の一部が配置されてもよい。そうしたノッチ２４は、直線的な、あるいはロッド１０の長手方向軸線に対して実質的に直交したものであってもよい。代替的には、ノッチ２４は図５ｂに示されるように長手方向軸線に対して傾斜可能である。他の変形例においては、ノッチは、図５ｃに示されるように弧状の、つまり半月形状のものであってもよい。さらに他の変形例では、図５ｄに示されるように、その長さに沿う様式でロッド部の一端から延在する直径スロットとすることができる。さらに他の付加物は、ロッド１０の表面から外側に延在する１つ以上のフック型突出部２６からなる毛髪係留手段に関するものである。そうした突出部２６は、図５ｅ、図５ｆおよび図５ｇに示されるようなその断面が直線的な、弧状の、またはＬ字形状のものとなっていてもよい。加えて、そうしたフック型突出部２６は、直線的な断面、弧状断面またはＬ字形状断面のフランジを形成するために、ロッド１０の周縁の周囲に部分的にまたは全体的に延在していてもよい。
【００７５】
一般的に、そうした毛髪係留手段は、ロッド１０の一端（通常はハンドルから離れた端部または使用者が把持する端部）へ向けて形成される。したがって、細長形状のロッドの場合、係留手段は、細い端部に近接するようになる。当然のことながら、他のノッチまたはフック型突出部のさまざまな形状を使用することもできる。
【００７６】
本発明に基づく１つ以上のヘアカーリングロッドは、図６に示されるようなキット２８の形態で提供されてもよい。そうしたキット２８は、すべてがおおよそ同じ長さ有し、さまざまな直径を有する円形断面の３つのロッド１０と、平坦な薄手のロッド１０１とを、各ロッド１０，１０１を図示されるように受容するよう形状付けられた凹部３４が形成された本体３２を有するベース３０とともに、備えていてもよい。ベース３０は、実質的にシリンダ形状の、または安定性のために幅広の下部３６を有する錐台形の本体３２、および、凹部３４が形成される平坦なまたはドーム状の上面３８であってもよい。好ましくは、ベース３０は、ロッドの色および表面質感と同様の色および表面質感を有するプラスチックから形成される。このベースは、安定性を提供するためにある程度の重量を有するべきであり、そのために、ロッド自体より大きな重量の材料から形成されるか、または下部３６に重量のある挿入物を内蔵されてもよい。
【００７７】
そうしたキット２８は、アストレーナなどのヘアスタイリングアイロンとは別に、あるいはそれとともに販売されていてもよい。
【００７８】
キットの代替形態は、何らかの支持ベースを備えずにヘアストレーナなどのヘアスタイリングアイロンと組み合わされる単一のカーリングデバイスを備えることができる。
【００７９】
ロッド１０，１０１に好適な材料がカーボン由来の材料である場合、損傷または劣化を伴わずかつ使用者に不快さをもたらさないように高温とならないように、ヘアアイロンによって通常生成される温度に耐えうる他の耐熱材料を使用することもできる。
【００８０】
当然のことながら、本発明は、ヘアカーリングロッドと関連づけた使用により毛髪をまっすぐにする代わりにカールを形成するために既存のヘアスタイリング器具、特にヘアストレーナアイロンに適応可能な、毛髪をカーリングするための簡単なデバイス、キットおよび方法を提供する。したがって、使用者は、既存のヘアストレーナをカールを形成するために適合させることができ、かつ従来のヘアストレーナおよび従来のヘアカーリングトングの両方を購入する必要がなくなる。
【００８１】
本発明の使用により、使用者を疲労させることが軽減される。なぜなら、ロッド自体が軽量であり、かつ、従来のヘアカーリング技術に比べてより短い時間にわたってのみ、重量のある電気加熱式器具を作動させることが必要とされるからである。
【００８２】
さらに、非加熱ヘアカーリングロッドを使用することは、火傷の危険性を避けるよう、加熱前に満足のいくまで使用者が毛髪を巻きつけることを可能にする。
【００８３】
添付の図面の図７を参照すると、当該図面には、代替的なヘアスタイリングアイロン４０が示されており、ヘアスタイリングアイロン４０は、図１および図２に関連して上述したように、ロッド４１と関連付けられて使用されてもよい。この例において、ヘアスタイリングアイロンは、２つの屈曲した細長プレート４２および４４を備える電気カーリングデバイスである。これらプレートは、個々のアーム４６および４８に取り付けられている。アーム４６および４８は、その端部において、回転ジョイント５０を用いて、対向するプレート４２および４４を互いに連結する。
【００８４】
各プレート４２，４４は、その長手方向軸線に沿ってかつプレートの凸面が互いに面する様式で屈曲されている。図示されるように、これらプレートは、回転ジョイント５０はプレートをロッド４１の形状の適合可能にするよう、ともにロッド４１の周囲にもたらされてもよい。この段階において、続いて、ロッドの周囲に毛髪を巻くためにカーリングデバイス４０が隣接されると同時に、使用者はロッドをねじる。ロッド上に巻かれた毛髪を管理するために、プラスチックスパイクが提供されてもよい。
【００８５】
このヘアカーリングデバイスは、６０℃から２３０℃まで加熱されるものであってもよい。
【００８６】
ヘアカーリングデバイスは、通常は３から６インチの長さの、好ましくは４から６インチの長さのものであってもよい。
【００８７】
電気ヘアカーリングデバイスはロッド上の毛髪の大部分をカバーするものであり、そのため、使用者は、従来のヘアストレーナのみに比べて、より簡単にかつより迅速にカールを形成することができる。さらに電気カーリングデバイスは、ロッド上の適所に毛髪をよりしっかりと保持するようになる。
【符号の説明】
【００８８】
１０，１０１  ロッド
１２  近位端部
１４  遠位端部
１６  ハンドル
１８  毛髪
２０  プレート
２２  アイロン
２４  ノッチ
２６  突出部
２８  キット
３０  ベース
３２  本体
３４  凹部
３６  下部
４０  ヘアスタイリングアイロン
４１  ロッド
４２，４４  プレート
４６，４８  アーム
５０  回転ジョイント
【図１】
2013502256.tif 000003
【図２】
2013502256.tif 000004
【図３ａ】
2013502256.tif 000005
【図３ｂ】
2013502256.tif 000006
【図４】
2013502256.tif 000007
【図５ａ】
2013502256.tif 000008
【図５ｂ】
2013502256.tif 000009
【図５ｃ】
2013502256.tif 000010
【図５ｄ】
2013502256.tif 000011
【図５ｅ】
2013502256.tif 000012
【図５ｆ】
2013502256.tif 000013
【図５ｇ】
2013502256.tif 000014
【図６】
2013502256.tif 000015
【図７】
2013502256.tif 000016
【国際調査報告】
2013502256.tif 000017
2013502256.tif 000018
2013502256.tif 000019